(57)【要約】      （修正有）【課題】不正コピー品によるコンピュータプログラムのインストールを防止すること。【解決手段】コンピュータプログラムが格納されているＣＤ−ＲＯＭ１のボリュームラベル１Ａ内にインストール用パスワードＰ２を予め格納しておく一方、パッケージ２に入力用パスワードＰ１を記載しておく。プログラムインストール時に入力用パスワードＰ１を入力し、インストールプログラムの実行の際に、インストール用パスワードＰ２と入力パスワードＰ１とが一致するか否かを判別し、一致した場合のみインストール作業を実行できるようにする。【選択図】図１
2007241792.tif 000002
【特許請求の範囲】
【請求項１】
記憶媒体内に格納されているコンピュータプログラムをコンピュータにインストールするための方法であって、
前記記憶媒体のボリュームラベル内にインストール用パスワードを予め格納しておく一方、前記記憶媒体のケース或いはマニュアルに入力用パスワードを記載しておき、
プログラムインストール時に入力用パスワードを前記コンピュータに入力し、
前記記憶媒体に格納されているインストールプログラムを前記コンピュータで実行する際に、前記インストール用パスワードと前記入力パスワードとが一致するか否かを判別し、
前記インストール用パスワードと前記入力パスワードとが一致した場合のみ前記インストールプログラムによるインストール作業が実行できるようにした
ことを特徴とするコンピュータプログラムのインストール方法。
【発明の詳細な説明】
【技術分野】
【０００１】
本発明は、不正コピー品によるコンピュータプログラムのインストールを防止することができるようにしたコンピュータプログラムのインストール方法に関する。
【背景技術】
【０００２】
従来、不正コピー品によるコンピュータプログラムのインストールを防止する方法として、インストール時にパスワードの入力を促し、この入力結果に基づき正規品と不正コピー品とを区別し、不正コピー品でのインストール作業が行えないようにした方法が多数提案されている。
【０００３】
代表的な方法としては、電話やインターネットを使用してシリアル番号を登録することによりパスワードを配布し、コピー品によるインストールを防止する方法がある。この方法は、シリアル番号の登録方法や再インストール時の手続方法、インストールするパソコンの環境や登録時間の手間など難しい問題をかかえている。この問題を解決するため、特許文献１に開示されているように、ボリュームラベルを使用して記憶媒体が正規品か不正コピー品かを判断する方法が公知である。
【特許文献１】特開２００３−５８５５号公報
【発明の開示】
【発明が解決しようとする課題】
【０００４】
しかし、特許文献１に開示されている技術は、記憶媒体のボリュームラベルに格納されているデータを使用してソフトウェアそのものを管理することを目的とした技術で、不正なコピー品によるコンピュータプログラムのインストールを防止する技術ではない。
【０００５】
本発明の目的は、不正コピー品によるコンピュータプログラムのインストールを防止することができるようにした、コンピュータプログラムのインストール方法を提供することにある。
【課題を解決するための手段】
【０００６】
上記課題を解決するため、本発明によれば、コンピュータプログラムが格納されているＣＤ、ＭＯ、ＤＶＤなどの記憶媒体のボリュームラベル（シリアル番号格納領域）内にインストール用パスワードを予め格納しておく一方、記憶媒体のケースやマニュアルに入力用パスワードを記載しておき、プログラムインストール時に入力用パスワードを入力し、インストールプログラムの実行の際に、インストール用パスワードと入力パスワードとが一致するか否かを判別し、一致した場合のみインストール作業が実行されるようにした
ことを特徴とするコンピュータプログラムのインストール方法が提案される。
【０００７】
本発明によれば、コンピュータプログラムの記録媒体に格納されているコンピュータプログラムが不正にコピーされたものである場合、インストール用パスワードと入力用パスワードとが一致しない為、不正コピー品と判断され、不正コピー品によるコンピュータプログラムのインストール作業が行えなくなる。
【発明の効果】
【０００８】
本発明によれば、不正コピー版によるコンピュータプログラムのインストールを効果的に排除することが可能となる。
【発明を実施するための最良の形態】
【０００９】
以下、図面を参照して本発明の実施の形態の一例につき詳細に説明する。
【００１０】
以下に詳しく説明する本発明による方法は、ＣＤ、ＭＯ、ＤＶＤなどの適宜の記憶媒体内に格納されているコンピュータプログラムをコンピュータにインストールするための方法であって、記憶媒体のボリュームラベル内にインストール用パスワードを予め格納しておく一方、記憶媒体のケース或いはマニュアル等に入力用パスワードを記載しておき、プログラムインストール時に入力用パスワードを前記コンピュータに入力し、記憶媒体に格納されているインストールプログラムをコンピュータで実行する際に、インストール用パスワードと入力パスワードとが一致するか否かを判別し、インストール用パスワードと入力パスワードとが一致した場合のみインストールプログラムによるインストール作業が実行できるようにしたコンピュータプログラムのインストール方法である。
【００１１】
（第１実施形態）
図１は、本発明の方法によりコンピュータプログラムをインストールするために用意されたＣＤ−ＲＯＭ１及びそのパッケージ２を示すものである。ＣＤ−ＲＯＭ１のボリュームラベル１Ａにはインストール用パスワードＰ２が予め格納されており、パッケージ２には入力用パスワードＰ１が印刷されている。出荷時には入力用パスワードＰ１とインストール用パスワードＰ２とが一致するようにした状態でＣＤ−ＲＯＭ１がパッケージ２内に封入され、ユーザに販売される。
【００１２】
図２は、上述の如くして販売されるコンピュータプログラムパッケージを購入した場合、そのＣＤ−ＲＯＭ１を用いて図示しないコンピュータに当該コンピュータプログラムをインストールする方法を説明するためのフローチャートである。
【００１３】
先ず、ステップ１１でＣＤ−ＲＯＭ１をコンピュータにセットし、ステップ１２で入力用パスワードＰ１をキー入力する。ステップ１３では、コンピュータがＣＤ−ＲＯＭ１のボリュームラベル１Ａに格納されているインストール用パスワードＰ２を読み取り、ステップ１４で、入力用パスワードＰ１とインストール用パスワードＰ２とが一致するか否か（Ｐ１＝Ｐ２か否か）が判別される。
【００１４】
Ｐ１＝Ｐ２であれば、ステップ１４の判別結果はＹＥＳとなり、ステップ１５に入り、ここで、ＣＤ−ＲＯＭ１に格納されているインストール用プログラムが実行され、これによりＣＤ−ＲＯＭ１に格納されているコンピュータプログラムがコンピュータにインスールされ、インストール作業が終了する。
【００１５】
一方、Ｐ１≠Ｐ２であると、ステップ１４の判別結果はＮＯとなり、ステップ１６に入り、ここで、インストールの実行が中止され、コンピュータプログラムのインストールが行われないまま、今回のインストールのための作業が終了する。
【００１６】
このように、ＣＤ−ＲＯＭ１に格納されているコンピュータプログラムをコンピュータにインストールする場合、パッケージ２に印刷されている入力用パスワードＰ１をコンピュータにキー入力すればコンピュータプログラムのインストール作業が実行される。しかし、ＣＤ−ＲＯＭ１が不正コピー品である場合、正しい入力用パスワードＰ１の入力が不可能であり、ＣＤ−ＲＯＭ１をコンピュータにセットしても、このＣＤ−ＲＯＭ１に対応する正しい入力用パスワードＰ１を入力することができないため、不正コピー品によるコンピュータプログラムのインストールを有効に阻止できる。
【００１７】
（第２実施形態）
図３及び図４は、本発明の第２実施形態を説明するための図である。図３は本発明の方法によりコンピュータプログラムをインストールするために用意されたＣＤ−ＲＯＭ２１及びそのパッケージ２２を示すものである。ＣＤ−ＲＯＭ２１のボリュームラベル２１Ａには、インストール時に使用する認証用の鍵番号Ｎ２が予め格納されている。また、インストールプログラムＰＧ内には認証用錠番号Ｎ１が格納されている。一方、パッケージ２２には入力用パスワードＰ２１が印刷されている。出荷時には、認証用錠番号Ｎ１と認証用の鍵番号Ｎ２とが一致するようにした状態とされているＣＤ−ＲＯＭ２１がパッケージ２２内に封入され、ユーザに販売される。
【００１８】
図３は、上述の如くして販売されるコンピュータプログラムパッケージを購入した場合、そのＣＤ−ＲＯＭ２１を用いて図示しないコンピュータに当該コンピュータプログラムをインストールする方法を説明するためのフローチャートである。
【００１９】
先ず、ステップ３１でＣＤ−ＲＯＭ２１をコンピュータにセットするとステップ３２に入り、ステップ３２でインストールプログラムが起動する。インストールプログラムは、予めプログラム内に組み込まれている認証用錠番号Ｎ１を読み込む。ステップ３３では、コンピュータがＣＤ−ＲＯＭ２１のボリュームラベル２１Ａに格納されている認証用の鍵番号Ｎ２を読み取り、ステップ３４で認証用錠番号Ｎ１と認証用の鍵番号Ｎ２とが一致するか否か（Ｎ１＝Ｎ２か否か）が判別される。
【００２０】
Ｎ１＝Ｎ２であれば、ステップ３４の判別結果はＹＥＳとなり、ステップ３５に入り、ここで、コンピュータの表示装置においてパスワード入力画面を表示し、パスワードの入力を促す。ステップ３６ではパスワードが入力されたか否かが判別され、パスワードの入力があるまでステップ３６が繰り返し実行される。パスワードが正しく入力されると、ステップ３６の判別結果はＹＥＳとなり、ステップ３７に入る。
【００２１】
ステップ３７では、ＣＤ−ＲＯＭ２１に格納されているインストール用プログラムのインストール作業が実行され、これによりＣＤ−ＲＯＭ２１に格納されているコンピュータプログラムがコンピュータにインスールされ、インストール作業が終了する。
【００２２】
一方、Ｎ１≠Ｎ２であると、ステップ３４の判別結果はＮＯとなり、ステップ３８に入り、ここで、パスワード入力画面が表示されないまま、インストールの実行が中止され、コンピュータプログラムのインストールが行われないまま、今回のインストールのための作業が終了する。
【００２３】
コピー品は、ボリュームラベルが異なる為、Ｎ１≠Ｎ２となり、インストール作業を行おうとしてもパスワード入力画面が表示されず、インストール作業を行うことができない。また、ボリュームラベルは、ＣＤ−ＲＯＭコピー時に任意に作成することができるので、ＣＤ−ＲＯＭ２１のボリュームラベル２１Ａに格納する認証用の鍵番号Ｎ２は、パソコン上で表示される英数字、記号の使用は避け、スペース表示のコードやバイナリーデータを使用することが望ましい。
【図面の簡単な説明】
【００２４】
【図１】本発明の方法の実施形態の一例を説明するための図。
【図２】図１に示す本発明の実施形態におけるインストール方法を説明するためのフローチャート。
【図３】本発明の他の実施形態の一例を説明するための図。
【図４】図３に示す本発明の実施形態におけるインストール方法を説明するためのフローチャート。
【符号の説明】
【００２５】
１、２１  ＣＤ−ＲＯＭ
１Ａ、２１Ａ  ボリュームラベル
２、２２  パッケージ
Ｎ１  認証用錠番号
Ｎ２  認証用の鍵番号
Ｐ１  入力用パスワード
Ｐ２  インストール用パスワードＰ２
【図１】
2007241792.tif 000003
【図２】
2007241792.tif 000004
【図３】
2007241792.tif 000005
【図４】
2007241792.tif 000006